(57)【特許請求の範囲】
【請求項１】
下記の要件を備えたことを特徴とする物品取出容器
（イ）容器本体と、当該容器本体に設けられた蓋体とから構成されていること。
（ロ）前記容器本体は、仕切部材によって上下に仕切られ、上方に複数の物品を収容する物品収容部が形成され、下方に前記物品を外部に取り出す物品取出部が形成されていること。
（ハ）前記物品取出部の側部には、物品取出開口が形成され、該物品取出開口に前記蓋体が開閉可能に設けられていること。
（ニ）前記仕切部材には、物品収容部から物品取出部へ物品が通過できる連通孔が設けられていること。
（ホ）前記物品取出部には、前記蓋体の開動作に伴って物品を取り出す物品取出手段と、物品取出手段と連動して前記連通孔を塞ぎ物品収容部から新たな物品が落下するのを防止する規制部材が設けられていること。
【請求項２】
前記物品取出手段は、形象部材と、該形象部材に設けられた前記物品を運搬するための載置収容手段とからなることを特徴とする請求項１記載の物品取出容器。
【請求項３】
前記物品取出手段と前記規制部材は、接触摩擦により連動するようになっていることを特徴とする請求項１又は２記載の物品取出容器。
【請求項４】
前記物品取出手段には、係合突起又は係合凹部が形成され、前記規制部材には、前記物品取出手段の係合突起又は係合凹部と係脱する係合凹部又は係合突起が形成され、蓋体が物品取出開口を閉じている時、前記物品取出手段の係合突起又は係合凹部と前記規制部材の係合凹部又は係合突起が係合し、蓋体が物品取出開口を開いている時、前記物品取出手段の係合突起又は係合凹部と前記規制部材の係合凹部又は係合突起が脱離することを特徴とする請求項１、２又は３記載の物品取出容器。
【発明の詳細な説明】
【０００１】
【発明の属する技術分野】
本願発明は、容器内に収容された物品、例えば錠剤形状に固化した固形菓子、健康食品、サプリメント等の物品を一つずつ取り出すことのできる物品取出容器に関するものである。
【０００２】
【従来の技術】
従来の物品取出容器は、特開平４−１８９７８４号公報に開示されているように、容器内に収容された菓子等の物品を、容器に設けられた動物、ロボット、キャラクタを模した人形等の挟持部材によって挟持して取り出していた。
【０００３】
【発明が解決しようとする課題】
上記従来の物品取出容器は、容器の外部に前記挟持部材が突出して固定された形状となっている。また、ポケット等に入れて携行することを前提とされていないため、収容された物品の飛び出しを防止することは目的とされておらず、容器の収容部を開閉する蓋部材は設けられていなかった。
また、挟持部材により物品を挟持させると、物品の大きさに若干の誤差が合った場合には挟持できず落ちてしまうことがあった。
【０００４】
本願発明は、上記従来の事情に鑑みてなされ、菓子、栄養食品、サプリメント等の錠剤形状の物品を収容して取り出すことのできる容器であって、携行に適した形状とするとともに、簡便な構造で僅かに大きさが異なった物品であっても、蓋を開く動作のみで物品を１つずつ取り出すことのできる物品取出容器を提供するものである。
【０００５】
【課題を解決するための手段】
請求項１に係る物品取出容器は、上記目的を達成するため、下記の手段を有する。
（イ）容器本体と、当該容器本体に設けられた蓋体とから構成されていること。
（ロ）前記容器本体は、仕切部材によって上下に仕切られ、上方に複数の物品を収容する物品収容部が形成され、下方に前記物品を外部に取り出す物品取出部が形成されていること。
（ハ）前記物品取出部の側部には、物品取出開口が形成され、該物品取出開口に前記蓋体が開閉可能に設けられていること。
（ニ）前記仕切部材には、物品収容部から物品取出部へ物品が通過できる連通孔が設けられていること。
（ホ）前記物品取出部には、前記蓋体の開動作に伴って物品を取り出す物品取出手段と、物品取出手段と連動して前記連通孔を塞ぎ物品収容部から新たな物品が落下するのを防止する規制部材が設けられていること。
【０００６】
請求項２に係る物品取出容器は、上記目的を達成するため、上記手段に加え、物品取出手段は、形象部材と、該形象部材に設けられた前記物品を運搬するための載置収容手段とからなる。
【０００７】
請求項３に係る物品取出容器は、上記目的を達成するため、上記手段に加え、物品取出手段と前記規制部材は、接触摩擦により連動するようになっている。
【０００８】
請求項４に係る物品取出容器は、上記目的を達成するため、上記手段に加え、前記物品取出手段には、係合突起又は係合凹部が形成され、前記規制部材には、前記物品取出手段の係合突起又は係合凹部と係脱する係合凹部又は係合突起が形成され、蓋体が物品取出開口を閉じている時、前記物品取出手段の係合突起又は係合凹部と前記規制部材の係合凹部又は係合突起が係合し、蓋体が物品取出開口を開いている時、前記物品取出手段の係合突起又は係合凹部と前記規制部材の係合凹部又は係合突起が脱離する。
【０００９】
【発明の実施の形態】
以下、本発明の一実施の形態に係る物品取出容器について、図面を参照して説明する。
図１は本願発明に係る物品取出容器の分解斜視図である。また、図２は本願発明の物品取出容器の内部構造を示す透視図である。図３は物品取出容器から物品を取り出す際の機構を示す説明図である。
図１、図２において、３は物品Ｍを収容する容器本体、５は前記容器本体３に設けられた蓋体である。
【００１０】
物品取出容器１の全体構成について説明する。物品取出容器１は、容器本体３と、当該容器本体３に設けられた蓋体５とから構成されている。前記容器本体３は、仕切部材４５ａ，４５ｂによって上下に仕切られ、上方に複数の物品Ｍを収容する物品収容部４１が形成され、下方に前記物品Ｍを外部に取り出す物品取出部４３が形成されている。前記物品取出部４３の側部には、物品取出開口１７が形成され、該物品取出開口１７に前記蓋体５が開閉可能に設けられている。
【００１１】
前記仕切部材４５ａ，４５ｂには、物品収容部４１から物品取出部４３へ物品Ｍが通過できる連通孔４７が設けられている。前記物品取出部４３には、前記蓋体５の開動作に伴って物品Ｍを取り出す物品取出手段２７と、物品取出手段２７と連動して前記連通孔４７を塞ぎ物品収容部４１から新たな物品Ｍが落下するのを防止する規制部材４が設けられている。
【００１２】
前記物品取出手段２７は、形象部材２９と、該形象部材２９に設けられた前記物品Ｍを運搬するための載置収容手段３１とからなる。前記物品取出手段２７と前記規制部材４は、接触摩擦により連動するようになっている。なお、前記物品取出手段２７には、係合突起３４又は係合凹部が形成され、前記規制部材４には、前記物品取出手段２７の係合突起３４又は係合凹部と係脱する係合凹部５８又は係合突起が形成され、蓋体５が物品取出開口１７を閉じている時、前記物品取出手段２７の係合突起３４又は係合凹部と前記規制部材４の係合凹部５８又は係合突起が係合し、蓋体５が物品取出開口１７を開いている時、前記物品取出手段２７の係合突起３４又は係合凹部と前記規制部材４の係合凹部５８又は係合突起が脱離するようになっている。
【００１３】
本願発明の物品取出容器１は、最適な実施の形態として合成樹脂等により成形されており、容器本体３は物品収容部４１と物品取出部４３を備えている。前記容器本体３には物品Ｍを取り出すための蓋体５が開閉可能に取り付けられている。
【００１４】
容器本体３及び蓋体５の構成について詳細に説明する。
容器本体３は、前壁６２、後壁６３、底壁６４、左壁１１ａ、右壁１１ｂの縦長箱状に形成され、上部が開放されて物品Ｍを供給する物品供給開口１９が形成され、後壁６３下部に物品Ｍを取り出す物品取出開口１７が形成されている。
【００１５】
容器本体３は、左容器体９ａと右容器体９ｂを互いに対向させて接合することにより構成されている。これら左容器体９ａ、右容器体９ｂの形状は、略長方形状の左壁１１ａ、右壁１１ｂの、物品Ｍを取り出す物品取出開口１７と物品Ｍを供給する物品供給開口１９を除いた部分に周壁１３ａ、１３ｂが形成されている。
なお、上述したように左容器体９ａと右容器体９ｂは、互いに対照的な形状であるため、特に説明を要しないかぎり符号「ａ」を付したものは左容器体９ａに設けられた要素、符号「ｂ」を付したものは右容器体９ｂに設けられた要素として説明する。また説明上使用する上下左右の用語は、特に説明を行わない限り図面の上下左右と同一の方向を表す。
【００１６】
容器本体３に形成された周壁１３ａ、１３ｂの端面は、互いに当接する部位であり、周壁１３ａの端面の所定位置には複数の嵌合孔１５ａが設けられ、周壁１３ｂの端面の所定位置には複数の嵌合凸部１５ｂが設けられている。そして、これら嵌合孔１５ａに嵌合凸部１５ｂを嵌着することにより左容器体９ａと右容器体９ｂが結合されて、容器本体３が形成される。周壁１３ａと周壁１３ｂが当接することによって、前壁６２、後壁６３、底壁６４が形成される。
【００１７】
容器本体３は、前述したように左容器体９ａと右容器体９ｂを対向して結合させることにより形成された部材である。この容器本体３に蓋体５を取り付けた状態において、略直方体をなし外形寸法は例えば奥行き１０ｍｍ程度、幅３０ｍｍ程度、高さ７０ｍｍ程度に形成されている。
これは、衣服等のポケットに入れて傾向する際に邪魔にならない程度の大きさとするためである。
【００１８】
また、左容器体９ａと右容器体９ｂの左壁１１ａ、右壁１１ｂの内側には、仕切部材４５ａ、４５ｂが設けられている。仕切部材４５ａと４５ｂは、左容器体９ａと右容器体９ｂを結合することで互いに当接して容器本体３内を上下に仕切り、上方に物品収容部４１の空間を構成し、下方に物品取出部４３の空間を構成している。
【００１９】
この仕切部材４５ａ、４５ｂは、それぞれの各容器体９ａ、９ｂの内壁に設けられている。この仕切部材４５ａ、４５ｂは、前記物品取出開口１７を半径とし、該物品取出開口１７の下端縁を中心として扇形状の周上に設けられている。そして、仕切部材４５ａ、４５ｂは、前記物品取出開口１７とは反対側の位置に前記物品Ｍを通過させることができる程度の間隔を有した連通孔４７が形成されてい
この連通孔４７は、物品Ｍの外形（例えば物品の直径及び厚み）より若干大きい間隔を有して形成され、物品収容部４１から物品取出部４３へ物品Ｍを通過させることができる。物品取出開口１７は、物品取出部４３に形成され、後壁６３下部が切り欠かれ、左壁１１ａ下部及び右壁１１ｂ下部が湾曲して切り欠かれて形成されている。
る。
【００２０】
物品収容部４１内の左壁１１ａと右壁１１ｂ間が、下方にいくに従って狭くなるようになっている。物品収容部４１内の左壁１１ａは、仕切部材４５ａの直上にガイド壁１２ａが形成され、ガイド壁１２ａの上端に傾斜壁１４ａが形成されている。物品収容部４１内の右壁１１ｂは、仕切部材４５ｂの直上にガイド壁１２ｂが形成され、ガイド壁１２ｂの上端に傾斜壁１４ｂが形成されている。ガイド壁１２ａとガイド壁１２ｂの隙間は、物品Ｍの厚みより若干広くなっている。従って、物品収容部４１に収容された物品Ｍは、傾斜壁１４ａ，１４ｂによって、ガイド壁１２ａとガイド壁１２ｂの間に厚み方向の複数の物品Ｍが重ならないようにして導かれて仕切部材４５ａ、４５ｂに載り、仕切部材４５ａ、４５ｂの傾斜に沿って物品Ｍの直径方向に移動して連通孔４７に導かれる。
【００２１】
また物品取出部４３内の左壁１１ａと右壁１１ｂには、詳細は後述する規制部材４の第１の規制部材６が摺動する摺動溝４９ａ，４９ｂが設けられている。該摺動溝４９ａ，４９ｂの前記仕切部材４５ａ、４５ｂの端部に位置する部分には、第１の規制部材６を係止する係止突起５０ａ、５０ｂが設けられている。
【００２２】
さらに容器本体３には、物品Ｍを供給するための物品供給開口１９が設けられ、該物品供給開口１９には開閉自在な物品供給蓋２１が取り付けられている。
物品供給蓋２１は、前記左容器９ａと右容器体９ｂを当接した際に形成される物品供給開口１９を覆い開閉自在に取り付けられている。該物品供給蓋２１の長手方向の一側端には突起軸２３、２３が２カ所に設けられている。この突起軸２３、２３は、前記左容器体９ａと右容器体９ｂが当接されることにより左容器体９ａと右容器体９ｂに設けられた軸受孔２５ａ、２５ｂに回動自在に枢着される。これにより物品供給蓋２１が開閉自在となり、必要に応じて物品Ｍを収容することができる。なお、物品供給蓋２１は、他端側に係止凹部２６が形成され、容器本体の前壁６２上部に形成された係止凸部１８に係止凹部２６が係脱される。
【００２３】
つぎに、上記説明した容器本体３に設けられた蓋体５と、当該蓋体５と連動可能に設けられた物品取出手段２７および規制部材４について詳細に説明する。
蓋体５は、前記容器本体３と同様に合成樹脂により形成され、物品取出開口１７を塞ぐようになっており、後壁６３の切り欠き部を塞ぐ平面部７と、左壁１１ａと右壁１１ｂの切り欠き部を塞ぐ側面部５ａ，５ｂを有する。また蓋体５の内側には嵌着部３７が設けられ、後述する物品取出手段２７に取り付けられる。そして該蓋体５は、規制部材４及び物品取出手段２７と連動するようにして、前記容器本体３に設けられた物品取出開口１７に対して開閉自在に設けられている。
この物品取出手段２７は、本実施の最適な形態として、例えば合成樹脂により成形された形象部材２９と、該形象部材２９に設けられたバケット状の載置収容手段３１と、形象部材２９が固着された蓋体５とともに容器本体３に取り付けられる取付部材３３により構成されている。
【００２４】
規制部材４は、前記蓋体５と連動するものであり、前記物品取出部４３に配置され、前記連通孔４７を介して前述した物品取出手段２７の載置収容手段３１に前記物品Ｍが１個ずつ適切に収容されるように設けられている。また、載置収容手段３１に物品Ｍが収容された後、次に待機している物品Ｍの落下を規制するものである。
この規制部材４は、最適な実施の形態として、合成樹脂により形成された第１の規制部材６と第２の規制部材８とからなる。
【００２５】
第１の規制部材６は、前後方向の断面が凸状に形成され、底部に前記連通孔４７を開閉するための操作片６ａが形成されている。第１の規制部材６は、前記摺動溝４９ａ，４９ｂを摺動することで前記連通孔４７を塞ぎ、物品収容部４１の物品Ｍが物品取出部４３へ落下することを規制する。
第２の規制部材８は、その一端が容器本体３に設けられた回動軸５５ａ、５５ｂに所定角度をもって回動自在に取り付けられている。この第２の規制部材８の他の一端は、前記第１の規制部材６の操作片６ａに当接する形状となっている。これは、前記蓋体５の開閉に伴って、該第２の規制部材８が回動することにより第１の規制部材６を摺動させ、前記連通孔４７を開閉する。
【００２６】
すなわち、前記蓋材５が閉じられた場合には、前記載置収容手段３１が連通孔４７の下方の位置に移動し、第１の規制部材６は容器本体３の底部に位置して連通孔４７が開口されている。前記蓋材５が開かれた場合には、該第１の規制部材６は前記第２の規制部材８により摺動溝４９ａ、４９ｂに沿って移動し連通孔４７を塞ぐ。
このように第１の規制部材６が連通孔４７を塞ぐことで、連通孔４７の下に載置収容手段３１が位置していない場合に物品Ｍは物品収容部４１から物品取出部４３へ落下することができなくなる。
【００２７】
形象部材２９は、前記規制部材４と同様に前記物品取出部４３にあって、これの所定位置に上部が開口したバケット状の前記載置収容手段３１が設けられている。載置収容手段３１は詳細は後述するが、前記蓋体５が閉じられた際に物品Ｍの載置収容が可能となるように、前記連通孔４７の下方の位置に設けられている。
また形象部材２９に設けられた載置収容手段３１は、前記物品Ｍを載置収容して当該物品取出容器１の内部から外部へ取り出すためのものであり、前記蓋体５の開動作に伴って形象部材２９とともに物品Ｍがこぼれ落ちないように移動する。この形象部材２９は、例えば、動物、アニメのキャラクタ等で形成しても良く、当該形象部材２９が物品Ｍを運搬しての取出しを楽しめるように構成されている。
【００２８】
この形象部材２９は、取付部材３３を介して前記蓋体５に取り付けられ、蓋体５と連動して回動する。取付部材３３は、形象部材２９が固着されるアーム３５と、前記蓋体５に設けられた嵌着部３７に嵌着される嵌着板３９とにより略Ｌ字型に構成されている。
【００２９】
この取付部材３３はアーム３５の後部に取付孔５３が設けられ、前記第２の規制部材８に設けられた孔部５７ａ、５７ｂとともに容器本体３に設けられた回動軸５５ａ、５５ｂに同軸上で軸支される。第２の規制部材８は、略コ字型に形成され、一対の軸受片５９ａ，５９ｂと、一対の軸受片５９ａ，５９ｂの先端に設けられた当接片６０とからなり、一対の軸受片５９ａ，５９ｂの後部に孔部５７ａ，５７ｂが形成されている。この場合に前記第２の規制部材８の軸受片５９ａ、５９ｂの孔部５７ａ、５７ｂ周縁がアーム３５を狭持し、両部材間の接触による摩擦力により、蓋体５の回動（蓋体の開閉）に伴って前記第２の規制部材８が所定範囲内で回動する。また前記第２の規制部材８の中央部分には前記形象部材２９が載置されたアーム３５が収容される空間６１が軸受片５９ａ、５９ｂによって形成されている。
このように容器本体３に取り付けられた取付部材３３の嵌着板３９を前記蓋体５の嵌着部３７に嵌着することによって、容器本体３に蓋体５が取り付けられる。
【００３０】
このように規制部材４、物品取出手段２７とともに容器本体３に取り付けられた蓋体５は、容器本体３の後壁６３に沿って閉じられた状態から該容器本体３の底壁６４の底部面と一致するぐらいまでの略９０度開くことができる。蓋体５をこのように開閉することで、連通孔４７を通過して載置収容手段３１に収容された物品Ｍは、蓋体５と同角度（略９０度）移動した載置収容手段３１により当該容器本体３の外部に取り出すことができる。
なお、物品取出手段２７としてアーム３５に形象部材２９を取り付けるように構成したため、仕様変更の対応、あるいは、形象部材２９をシリーズ化した際の対応を容易に行うことが可能となる。
【００３１】
つぎに上記構成の物品取出容器１の作用、使用方法等について図２および図３を参照して説明する。
図２（ａ）は、本願発明の物品取出容器１に複数の物品Ｍを収容して蓋体５を閉じた状態の説明図であり、図２（ｂ）は、同物品取出容器１から蓋体５を開いて物品Ｍを取り出した状態の説明図である。
本願発明の物品取出容器１は、最適な実施の形態として、所定の厚みを有し外形が円形に形成された所謂錠剤（コイン）形状の物品Ｍの収容に適したものとして形成されている。そのため上述したように容器本体３の外観形状は全体として薄型の直方体であり、角部については所定の半径で面取りをした曲面を有している。そして容器本体３には該容器本体３の上部に設けられた前記物品供給開口１９から複数の物品Ｍが収容される。
【００３２】
この物品取出容器１は、物品Ｍが収容された物品収容部４１を上方に、物品取出部４３が下方として、上下に若干の振動を与えると、物品収容部４１の位置Ｐに物品Ｍの１つが移動し、前記連通孔４７を通過して物品取出部４３の載置収容手段３１に収容され、蓋体５を開くことにより、容器本体３の外部へ取り出すことができる。
【００３３】
図２（ａ）は、容器本体３に蓋体５を閉じた状態を示したものであり、図に示すようにこの状態では前記規制部材４が下方に位置しており、第１の規制部材６もともに下方に位置して前記連通孔４７を通過可能となっている。この状態では位置Ｐの物品Ｍは連通孔４７を通過して載置収容手段３１に物品Ｍが収容される。
図２（ｂ）は、容器本体３から蓋体５を開いた状態を示したものである。蓋体５を開くと第２の規制部材８は上方に移動し、それに伴って第１の規制部材６が係止突起５０ａ、５０ｂに当接するまで持ち上げられる。該第１の規制部材６は載置収容手段３１に収容された物品Ｍと次に待機している位置Ｐの物品Ｍとの間を摺動して連通孔４７を塞ぐ。そして載置収容手段３１に収容された物品Ｍを容器外へ取り出すことができる。
このように、蓋体５を閉じると物品取出手段２７である載置収容手段３１に物品Ｍが載置収容され、蓋体５を開くことで容器外へ１つの物品Ｍを取り出せるようになる。
【００３４】
ここで上記蓋体５の開閉に伴う物品Ｍを取り出す状態について図３（ａ）、図３（ｂ）、図３（ｃ）を参照してさらに詳細に説明する。
図３（ａ）は、前記図２（ａ）に示した状態を側面から表したものであり、蓋体５が閉じられて物品Ｍを載置収容手段３１に載置収容された状態が示されている。このとき物品収容部４１には、物品Ｍが雑多に収容されているが、物品収容部４１の仕切部材４５ａ、４５ｂ付近は、前述したようにガイド壁１２ａ，１４ａによって物品Ｍの厚みと略同様の隙間であるため、当該物品取出容器１への上下の振動、あるいは重力に伴って物品収容部４１内に形成された位置Ｐに１つの物品Ｍが直径方向へ移動し待機状態となる。そして、蓋体５が閉じられていると、物品Ｍはこの位置Ｐから連通孔４７を通過して前記載置収容手段３１に載置収容される。
【００３５】
図３（ｂ）は、蓋体５を開き始めた状態を示したものであり、蓋体５の開動作に伴って第２の規制部材８と第２の規制部材８により第１の規制部材６が押し上げられる状態を示している。
蓋体５が開き始めると、取付部材３３も同時に回転し、取付部材３３に圧接している第２の規制部材８も圧接による摩擦力により、第２の規制部材８が、蓋体５と同じ方向へ回転する。第２の規制部材８の他端（当接片６０）が第１の規制部材６の操作片６ａに係合して、第１の規制部材６を押し上げて連通孔４７を塞ぎ、物品収容部４１内で待機している物品Ｍの落下を防止する。この場合、上述したように載置収容手段３１に収容された物品Ｍと、次に待機している位置Ｐの物品Ｍとの接触部分を第１の規制部材６が通過し、これと同時に載置収容手段３１は物品取出開口１７へ向けて移動する。
【００３６】
図３（ｃ）は、蓋体５を完全に開いた状態を示したものであり、蓋体５とともに物品取出手段２７が移動し、載置収容手段３１に収容された物品Ｍが当該物品取出容器１の外部に取り出される。このとき前記第１の規制部材６は第２の規制部材８により、係止突起５０ａ，５０ｂに当接する位置まで押し上げられて位置Ｐの物品Ｍが連通孔４７を通過することが遮断される。第１の規制部材６が係止突起５０ａ，５０ｂに当接すると、第２の規制部材８もこれ以上回転できなくなり、取付部材３３が接触摩擦力に抗して第２の規制部材８から抜け出るように回転し、蓋体５が完全に開くことになる。そして物品取出部４３の外部に取り出された物品Ｍを取ることができる。
【００３７】
図３（ｄ）は、物品Ｍを取り出して、再び蓋体５を閉じる状態を示したものである。蓋体５を閉じると取付部材３３，即ちアーム３５が下方に回転し、アーム３５との接触摩擦力により第２の規制部材８も同時に下方に移動する。第２の規制部材８が底壁６４に当接すると回転ができなくなり、取付部材３３が接触摩擦力に抗して第２の規制部材８、即ち一対の軸受け片５９ａ，５９ｂ間の空間６１内に収納され、元の状態（図３（ａ））に戻る。また載置収容手段３１が第１の規制部材６に当接して押し下げ、第１の規制部材６が下がるとともに連通孔４７が開き始め、蓋体５が所定位置まで閉じられると第１の規制部材６は完全に下方に移動し、次に位置Ｐで待機していた物品Ｍが連通孔４７を通過して載置収容手段３１に載置収容される。
このように蓋体５の開閉を繰り返すことによって物品Ｍを１つずつ取り出すことができる。
【００３８】
なお、取付部材３３（アーム３５）に係合突起３４を形成し、第２の規制部材８に、取付部材３３（アーム３５）の係合突起３４と係脱する係合凹部５８を形成しても良い。このようにすると、蓋体５が物品取出開口１７を閉じている時、取付部材３３（アーム３５）の係合突起３４と第２の規制部材８の係合凹部５８が係合し、蓋体５が物品取出開口１７を開いている時、取付部材３３（アーム３５）の係合突起３４と第２の規制部材８の係合凹部５８が離脱する。
【００３９】
図２（ａ）に示すように、容器本体３に蓋体５を閉じた状態から蓋体５を開くと、取付部材３３も同時に回転し、取付部材３３に圧接している第２の規制部材８も圧接による摩擦力及び係合突起３４と係合凹部５８の係合力により、第２の規制部材８が、蓋体５と同じ方向へ回転する。第２の規制部材８の他端（当接片６０）が第１の規制部材６の操作片６ａに係合して、第１の規制部材６を押し上げて連通孔４７を塞ぎ、物品収容部４１内で待機している物品Ｍの落下を防止する。
【００４０】
図３（ｃ）に示すように、第１の規制部材６が係止突起５０ａ，５０ｂに当接すると、第２の規制部材８もこれ以上回転できなくなり、取付部材３３が接触摩擦力に抗し且つ係合凹部５８から係合突起３４が脱離し、一対の軸受け片５９ａ，５９ｂ間の空間６１から抜け出るように回転し、蓋体５が完全に開くことになる。蓋体５を閉じると、取付部材３３，即ちアーム３５が下方に回転し、アーム３５との接触摩擦力により第２の規制部材８も同時に下方に移動する。第２の規制部材８が底壁６４に当接すると回転ができなくなり、取付部材３３が接触摩擦力に抗して第２の規制部材８、即ち一対の軸受け片５９ａ，５９ｂ間の空間６１内に収納され、取付部材３３の係合突起３４が第２の規制部材８の係合凹部５８と係合し、元の状態（図３（ａ））に戻る。このように、係合突起３４及び係合凹部５８により、蓋体５を開くと、確実に規制部材４を連動させることができる。
【００４１】
物品取出容器１は、ポケットおよびバッグに入れて持ち歩くとき、また衛生面を考慮して蓋体５が設けられているため、蓋体５を開く動作に伴って動物やキャラクタ等の形象部材２９により固形菓子等の物品Ｍを１つずつ取り出せるようになっている。従って従来の物品取出容器のように蓋が無く容器の外部にキャラクタ等が付いて要るものとは異なり、携行に優れ且つ衛生的であって、蓋の開閉とともにキャラクタ等が物品を取り出すといった楽しみが得られる。
また、物品取出容器１は、物品取出部４３として物品Ｍを載置収容する載置収容手段３１を設けて物品Ｍを取り出すようにしたため、従来のように個々の物品Ｍを挟持する必要がなく、物品Ｍの大きさに若干の誤差が合った場合にも確実に取り出すことができるようになる。また、物品Ｍを載置収容手段３１に載置収容して容器本体３外に運ぶようにしたため、狭持により物品Ｍが破損することが防止できる。
【００４２】
物品取出容器１は、物品取出部４３を扇形状として物品収容部４１と仕切り、その最下方に物品Ｍが通過可能な連通孔４７を設けたため、物品収容部４１に収容されている物品Ｍは、重力あるいは該容器本体３を上下に振って若干の振動を与えると、連通孔４７の所定位置に移動させることができる。また、物品収容部４１の連通孔４７近傍の幅を物品Ｍの略厚みと略同じに構成したので、容器本体３内部に物品Ｍを所定の姿勢にするための複雑な構造の必要がなく、該容器本体３の形成を容易に行うことが可能となる。
【００４３】
なお上記実施の形態では、連通孔を通過する物品の移動を規制する規制部材を第１の規制部材、第２の規制部材として構成したが、物品の移動について同様の作用が得られれば第１の規制部材と第２の規制部材を一体化したものであってもよく、その形状は特に限定されない。
また上記実施の形態では、蓋体の嵌着部に物品取出手段の嵌着板を嵌着してアームとＬ字型となるように形成して説明したが、同様の作用が得られればアームと蓋体を一体に形成してもよく、また蓋体を容器本体に回動自在に取り付けてもよく、蓋体の取り付け位置あるいは取付方法は特に限定されない。
【００４４】
【発明の効果】
以上、説明したように本願発明に係る物品取出容器は、ポケットおよびバッグに入れて持ち歩くとき、また衛生面を考慮して蓋体が設けられているため、蓋体を開く動作に伴って動物やキャラクタ等の形象部材により固形菓子等の物品を１つずつ取り出せるようになっている。従って従来の物品取出容器のように蓋が無く容器の外部にキャラクタ等が付いて要るものとは異なり、携行に優れ且つ衛生的であって、蓋の開閉とともにキャラクタ等が物品を取り出すといった楽しみが得られる。
また、本願発明に係る物品取出容器は、物品取出部として物品を載置収容する載置収容手段を設けて物品を取り出すようにしたため、従来のように個々の物品を挟持する必要がなく、物品の大きさに若干の誤差が合った場合にも確実に取り出すことができるようになる。また、物品を載置収容手段に載置収容して容器外に運ぶようにしたため、狭持により物品が破損することが防止できる。
【００４５】
本願発明に係る物品取出容器は、物品取出部を扇形状として物品収容部と仕切り、その最下方に物品が通過可能な連通孔を設けたため、物品収容部に収容されている物品は、重力あるいは該容器を上下に振って若干の振動を与えると、連通孔の所定位置に移動させることができる。また、物品収容部の連通孔近傍を物品の略厚みに構成したので、容器内部に物品を所定の姿勢にするための複雑な構造の必要がなく、該容器の形成を容易に行うことが可能となる。
【図面の簡単な説明】
【図１】本発明の一実施の形態に係る物品取出容器の分解斜視図である。
【図２】本発明の一実施の形態に係る物品取出容器の内部構造を示す透視図である。
【図３】本発明の一実施の形態に係る物品取出容器の機構を示す説明図である。
【符号の説明】
Ｍ  物品
Ｐ  位置
１  物品取出容器
３  容器本体
４  規制部材
５  蓋体
５ａ  側面部
５ｂ  側面部
６  第１の規制部材
６ａ  操作片
７  平面部
８  第２の規制部材
９ａ  左容器体
９ｂ  右容器体
１１ａ  左壁
１１ｂ  右壁
１２ａ  ガイド壁
１４ａ  傾斜壁
１３ａ  周壁
１３ｂ  周壁
１２ｂ  ガイド壁
１４ｂ  傾斜壁
１５ａ  嵌合孔
１５ｂ  嵌合凸部
１７  物品取出開口
１８  係止凸部
１９  物品供給開口
２１  物品供給蓋
２３  突起軸
２５ａ  軸受孔
２５ｂ  軸受孔
２６  係止凹部
２７  物品取出手段
２９  形象部材
３１  載置収容手段
３３  取付部材
３４  係合突起
３５  アーム
３７  嵌着部
３９  嵌着板
４１  物品収容部
４３  物品取出部
４５ａ  仕切部材
４５ｂ  仕切部材
４７  連通孔
４９ａ  摺動溝
４９ｂ  摺動溝
５０ａ  係止突起
５０ｂ  係止突起
５３  取付孔
５５ａ  回動軸
５５ｂ  回動軸
５７ａ  孔部
５７ｂ  孔部
５８  係合凹部
５９ａ  軸受片
５９ｂ  軸受片
６０  当接片
６１  空間
６２  前壁
６３  後壁
６４  底壁
【図１】
0003682445.tif 000002
【図２】
0003682445.tif 000003
【図３】
0003682445.tif 000004